(57)【特許請求の範囲】
【請求項１】
ワイヤレス通信システムにおいてサーバから受信されるテンプレート・データの表示を制御するための携帯加入者ユニットであって：
前記サーバと通信して、前記テンプレート・データを受信するトランシーバ；
前記トランシーバに結合され、前記テンプレート・データを処理する処理システム；および
前記処理システムに結合され、前記テンプレート・データを表示し、ユーザからの入力を受けるユーザ・インタフェース；
によって構成され、
前記サーバは、少なくとも一つのページ上で表示するためのテンプレート・データをフォーマットするためのテンプレート群からなるパックを格納し、
前記処理システムは：
前記ユーザ・インタフェースおよび前記トランシーバを利用して、ユーザによる前記サーバへのアクセスを可能にし；
前記ユーザ・インタフェースおよび前記トランシーバを利用して、前記サーバにおいて前記ユーザ・インタフェースを介したユーザ入力に応答して、前記サーバに格納されたパックを作成あるいは修正することによりカスタム・パックを生成し、該カスタム・パックを格納するようにし；
前記トランシーバを利用して、前記テンプレート・データとともに前記カスタム・パックを前記サーバからダウンロードし；および
前記ユーザ・インタフェースを利用して、前記テンプレート・データを前記カスタム・パックに従って表示する；
ようにプログラミングされることを特徴とする携帯加入者ユニット。
【請求項２】
前記処理システムは：
前記トランシーバを利用して、前記パックを前記サーバから受信し；および
前記パックをメモリ内にキャッシュする；
ようにプログラミングされることを特徴とする請求項１記載の携帯加入者ユニット。
【請求項３】
前記処理システムは：
前記トランシーバを利用して、前記サーバから周期的に送信されるリフレッシャ・パックを、前記サーバから受信し；および
前記リフレッシャ・パックを受信することに応答して、メモリに格納された前回保存されたパックをリフレッシュする；
ようにプログラミングされることを特徴とする請求項１記載の携帯加入者ユニット。
【請求項４】
リード・オンリ・メモリ；
をさらに含んで構成される請求項１記載の携帯加入者ユニットであって、
前記処理システムは：
前記パックを前記リード・オンリ・メモリに格納する；
ようにプログラミングされることを特徴とする請求項１記載の携帯加入者ユニット。
【請求項５】
前記処理システムは：
前記ユーザ・インタフェースおよび前記トランシーバを利用して、ユーザが前記サーバに格納された複数のパックからパックを選択することを可能にし；および
ユーザが前記パックを選択した後に、前記パックを前記携帯加入者ユニットにダウンロードする；
ようにプログラミングされることを特徴とする請求項１記載の携帯加入者ユニット。
【請求項６】
ワイヤレス通信システムにおいて携帯加入者ユニットによるテンプレート・データの表示を制御するためのサーバであって：
前記ワイヤレス通信システムのコントローラに結合され、このコントローラと通信する通信インタフェース；および
前記通信インタフェースに結合され、前記通信インタフェースを介して通信される情報を処理する処理システムであって、パックを格納するメモリを有する処理システム；
によって構成され、
前記処理システムは：
ユーザにより入力／出力装置から前記サーバへアクセスできるようにし；
前記入力／出力装置を介したユーザ入力に応答して、前記メモリに格納されたパックの作成および修正のうちの一つを実行することによりカスタム・パックを生成し；
前記カスタム・パックをメモリに格納し；
前記テンプレート・データを前記ワイヤレス通信システムに送信して、前記パックに従って前記携帯加入者ユニットで表示する；
ようにプログラミングされることを特徴とするサーバ。
【請求項７】
前記処理システムは：
周期的に、リフレッシャ・パックを前記携帯加入者ユニットに送信する；
ようにプログラミングされることを特徴とする請求項６記載のサーバ。
【請求項８】
前記処理システムは：
ユーザが前記メモリに格納された複数のパックからパックを選択することを可能にし；
前記パックを前記携帯加入者ユニットにダウンロードする；
ようにプログラミングされることを特徴とする請求項６記載のサーバ。
【発明の詳細な説明】
（産業上の利用分野）
本発明は、一般に、ワイヤレス通信システムに関し、さらに詳しくは、ワイヤレス通信システムにおいて携帯加入者ユニットによるテンプレート・データの表示を制御するための方法および装置に関する。
【０００１】
（従来の技術）
情報サービスは加入者に株式，スポーツ，ニュースなどに関する最新の情報を提供できるので、ワイヤレス・サービスにおいて普及が進んでいる。これらのサービスの価値を高めるために、各個別加入者に対してサービスをカスタマイズすることは役立つ。しかし、カスタマイズすることは、空中で移動するトラヒック量の大幅な増加を必要とするのであれば望ましくない。
【０００２】
従来のワイヤレス通信システムでは、情報サービス・プロバイダは情報サービス・アドレスにデータを放送し、加入者ユニットはこの情報サービス・アドレスを利用して情報を識別する。加入者ユニットが自局のレジストリ（registry）内でこのアドレスをアクティブにすると、加入者ユニットはデータを読出し、処理する。しかし、データの表示は、エンドユーザによって構築可能(configurable)ではなかった。
【０００３】
同様に、従来のワイヤレス通信システムは、インターネットへのアクセスをサポートし始めている。インターネット・アクセス用の有線(wireline)方法およびプロトコルがワイヤレス・システムで試みられているが、問題が生じている。有線プロトコルにおいて現在利用されているように、一つのウェブ・ページ（またはページの一部）を要求し、このページ（または一部）を表示してから、別のページ（同一ページの別の部分）を要求する方法では、蓄積転送(store-and-forward)ワイヤレス・システムにおいて過度の待ち時間(latency)が生じることがある。なぜならば、このようなシステムは、応答を送信するための適切なエア・タイム(air time)が得られるまで、各応答をキュー(queue)しなければならないためである。
【０００４】
ＷＡＰ(Wireless Application Protocol)として知られる一つの従来方法は、複数のウェブ・ページを、例えば「カード」の「デッキ(deck)」として一回の伝送で送信することによって、この待ち時間問題に部分的に対処しており、ここで各カードは構築されたコンテンツおよびナビゲーション仕様の１ページに相当する。しかし、各ＷＡＰカードは、表示すべきデータを、このデータの表示を制御する際に用いられるフォーマッティング命令と組み合わせており、それによりデータ・ダウンロードは、データが固定表示フォーマットを利用するときはいつでも必要以上に大きくなるという問題があった。
【０００５】
従って、ワイヤレス通信システムにおいて携帯加入者ユニットによるデータの表示を制御するための方法および装置が必要とされる。特に、データ・ダウンロードのサイズを低減でき、かつデータの表示をエンドユーザの希望に応じてカスタマイズできる方法および装置が必要とされる。
【０００６】
（発明の概要）
本発明の一態様は、ワイヤレス通信システムにおいて携帯加入者ユニットによるテンプレート・データ(template data)の表示を制御するための方法である。本方法は、パック(pack)を携帯加入者ユニットにプログラミングする段階であって、前記パックは、少なくとも一つのページ上で表示するためにテンプレート・データをフォーマットするためのテンプレートのバンドル(bundle of templates)からなる、段階；およびワイヤレス通信システムにおいて前記テンプレート・データをサーバに送信する段階によって構成される。本方法は、携帯加入者ユニットによって前記テンプレート・データを受信し、前記テンプレート・データを前記パックに従って表示する段階をさらに含んで構成される。
【０００７】
本発明の別の態様は、ワイヤレス通信システムにおいてサーバから受信されるテンプレート・データの表示を制御するための携帯加入者ユニットである。本携帯加入者ユニットは、前記サーバと通信して、テンプレート・データを受信するトランシーバと、受信機に結合され、テンプレート・データを処理する処理システムであって、メモリからなる処理システムとによって構成される。本携帯加入者ユニットは、前記処理システムに結合され、テンプレート・データを表示し、またユーザからの入力を受け付けるユーザ・インタフェースをさらに含んで構成される。前記処理システムは、少なくとも一つのページ上で表示するためにテンプレート・データをフォーマットするためのテンプレートのバンドルからなるパックでプログラミングされる。前記処理システムは、前記ユーザ・インタフェースと協調して、テンプレート・データを前記パックに従って表示するようにさらにプログラミングされる。
【０００８】
本発明のさらに別の態様は、ワイヤレス通信システムにおいて携帯加入者ユニットによるテンプレート・データの表示を制御するためのサーバである。本サーバは、前記ワイヤレス通信システムのコントローラに結合され、このコントローラと通信する通信インタフェースと、前記通信インタフェースに結合され、前記通信インタフェースを介して通信される情報を処理する処理システムであって、メモリからなる処理システムとによって構成される。前記処理システムは、少なくとも一つのページ上で表示するためにテンプレート・データをフォーマットするためのテンプレートのバンドルからなるパックを、携帯加入者ユニットに送信し、かつ前記パックに従って携帯加入者ユニットによる表示のために前記テンプレート・データを前記ワイヤレス通信システムに送信するようにプログラミングされる。
【０００９】
（好適な実施例の説明）
図１を参照して、電気ブロック図は、本発明による一例としてのワイヤレス通信システムを示し、これはコントローラ１１２と複数の従来の基地局１１６とを含むインフラ(infrastructure)部分１０２からなり、またこの通信システムは複数の携帯加入者ユニット１２２も含む。基地局１１６は、従来の無線周波数（ＲＦ）技術を利用して、携帯加入者ユニット１２２と好ましくは通信し、従来の通信リンク１１４によってコントローラ１１２に結合され、このコントローラ１１２は基地局１１６を制御する。
【００１０】
好ましくは、コントローラ１１２は、Motorola, Inc.社製のＷＭＧ（商標）(Wireless Messaging Gateway)Administrator!ページング端末と、RF-Conductor!（商標）メッセージ配信装置(message distributor)との組合せである。好ましくは、基地局１１６は、Motorola, Inc.社製のRF-Orchestra!送信機と、RF-Audience!（商標）受信機との組合せである。好ましくは、携帯加入者ユニット１２２は、Motorola, Inc.社製のPageWriter（商標）2000データ・メッセージング・ユニットと同様であり、本発明に従って修正されたソフトウェアを有する。なお、コントローラ１１２，基地局１１６および携帯加入者ユニット１２２について他の同様な装置も利用できることが理解される。
【００１１】
各基地局１１６は、アンテナ１１８を介してＲＦ信号を携帯加入者ユニット１２２に送信する。好ましくは、各基地局１１６は、アンテナ１１８を介して複数の携帯加入者ユニット１２２からＲＦ信号を受信する。基地局１１６によって携帯加入者ユニット１２２に送信されるＲＦ信号（アウトバウンド・メッセージ(outbound messages)）は、携帯加入者ユニット１２２を識別する選択呼出アドレスと、メッセージ発信者によって発信されたデータ・メッセージと、無線通信システムの動作パラメータを調整するためにコントローラ１１２によって発信されたコマンドと、以下で詳しく説明するようにテンプレート・データの表示を本発明に従ってフォーマットするためのパックとによって構成される。携帯加入者ユニット１２２によって基地局１１６に送信されるＲＦ信号（インバウンド・メッセージ(inbound messages)）は、肯定応答（ＡＣＫ：positive acknowledgements）および否定応答（ＮＡＫ：negative acknowledgments）などのスケジュールド・メッセージ(scheduled messages)と、登録要求およびパック要求などの非スケジュールド・メッセージ(unscheduled messages)とによって構成される。
【００１２】
好ましくは、コントローラ１１２は、電話リンク１０１によって公衆電話交換網（ＰＳＴＮ）１１０に結合され、そこから選択呼出メッセージ発信を受信する。ＰＳＴＮ１１０からのデータ・メッセージからなる選択呼出発信は、例えば、従来の電話１１１から、あるいはＰＳＴＮ１１０に結合された従来のコンピュータ１１７から生成できる。さらに、コントローラ１１２は、従来の通信リンク１２１を介してインターネット１２０に好ましくは結合され、インターネットに結合された少なくとも一つのサーバ１２４から、例えばパックおよびテンプレート・データなどの情報を取得する。あるいは、サーバ１２４はコントローラ１１２の一部として内蔵できることが理解される。
【００１３】
アウトバウンドおよびインバウンド・メッセージのために利用される空中プロトコル(over-the-air protocol)は、Motorola社製の周知のFLEX（商標）ファミリのデジタル選択呼出シグナリング・プロトコルから好ましくは選択される。これらのプロトコルは、周知の誤り検出および誤り訂正技術を利用し、そのため、ビット・エラーがそれほど多くないという条件で、送信中に発生するビット・エラーに対して耐性がある。なお、他の適切なプロトコルも利用できることが理解される。
【００１４】
図２は、本発明による一例としての携帯加入者ユニット１２２の電気ブロック図である。携帯加入者ユニット１２２は、アウトバウンド・メッセージを受信し、またインバウンド・メッセージを送信するためのアンテナ２０４からなる。アンテナ２０４は、アウトバウンド・メッセージを受信し、またインバウンド・メッセージを送信するための従来のトランシーバ２０８に結合される。トランシーバ２０８は、アウトバウンドおよびインバウンド・メッセージを処理し、また携帯加入者ユニット１２２を本発明に従って制御するための処理システム２０６に結合される。好ましくは、ユーザ・インタフェース２１４は、ユーザとのインタフェースを行うために処理システム２０６に結合される。ユーザ・インタフェース２１４は、インバウンドおよびアウトバウンド・メッセージを表示するための従来のディスプレイ２１６と、アウトバウンド・メッセージが着信したときにユーザに報知するための従来の報知要素２１８と、インバウンド・メッセージを生成し、また携帯加入者ユニット１２２を制御するための従来のキーボード２２０とによって構成される。また、従来のクロック２０７は、携帯加入者ユニット１２２のタイム・キーピング要件をサポートするために処理システム２０６に結合される。さらに、従来のリード・オンリ・メモリ（ＲＯＭ）２０５は、処理システム２０６に結合される。ＲＯＭ２０５は、以下で詳しく説明するように、少なくとも一つのページ上で表示するためにテンプレート・データをフォーマットするためのパック２０９からなる。
【００１５】
処理システム２０６は、従来のプロセッサ２１０と、好ましくはランダム・アクセス・メモリ（ＲＡＭ）である従来のメモリ２１２とによって構成される。メモリ２１２は、処理システム２０６を本発明に従ってプログラミングするためのソフトウェア要素および他の変数からなる。好ましくは、メモリ２１２は、携帯加入者ユニット１２２が応答する選択呼出アドレス２２２を含む。さらに、メモリ２１２は、周知の方法を介してメッセージを処理すべく処理システム２０６をプログラミングするためのメッセージ処理要素２２４を含む。さらに、メモリ２１２は、以下で詳しく説明するように、本発明に従って携帯加入者ユニット１２２によって用いられるパックを格納するためのパック・キャッシュ(pack cache)２２６からなる。また、メモリ２１２は、パックをカスタマイズすべく処理システム２０６をプログラミングするためのパック・カスタマイゼーション要素２２８を含む。さらに、メモリ２１２は、ユーザがパックを作成／修正／ダウンロードするためにサーバ１２４にアクセスできるように処理システム２０６をプログラミングするためのサーバ・アクセス要素２３０を含む。
【００１６】
図３は、本発明による一例としてサーバ１２４を示す電気ブロック図である。サーバ１２４は、インターネットを介して、またワイヤレス通信システムのインフラ部分１０２を介して携帯加入者ユニット１２２と通信するための従来の通信インタフェース３０４からなる。通信インタフェース３０４は、通信インタフェース３０４を制御し、これと通信するための処理システム３１０に結合される。また、処理システム３１０は、タイミング信号を処理システム３１０に与えるための従来のクロック３３６に結合される。処理システム３１０は、本発明に従って情報およびオペレーティング・ソフトウェアでプログラムされる、従来のコンピュータと、好ましくは従来の大容量記憶媒体３１４、例えば、磁気ディスク・ドライブであるメモリとによって構成される。大容量記憶媒体３１４は、周知の方法を介して携帯加入者ユニット１２２と通信されるメッセージを処理するための従来のメッセージ処理要素３２０からなる。また、大容量記憶媒体３１４は、テンプレート・データの表示を制御するために携帯加入者ユニット１２２にダウンロードできる汎用パック(generic packs)３２２を含む。さらに、大容量記憶媒体３１４は、携帯加入者ユニット１２２のユーザによってカスタマイズされたカスタム・パック(custom packs)３２４を含む。さらに、大容量記憶媒体３１４は、携帯加入者ユニット１２２に送信され、また携帯加入者ユニット１２２内にプログラミングされたパックに従って表示のためにフォーマットされる、テンプレート・データ３２８からなる。また、大容量記憶媒体３１４は、パックを携帯加入者ユニット１２２にダウンロードすべく処理システム３１０をプログラミングするためのダウンロード要素３３０からなる。また、大容量記憶媒体３１４は、ユーザがパックを作成／修正できるように処理システム３１０をプログラミングするための作成／修正(create/modify)要素を含む。さらに、大容量記憶媒体３１４は、携帯加入者ユニット内でパックを周期的にリフレッシュすべく処理システム３１０をプログラミングするためのリフレッシュ(refresh)要素３３４からなる。
【００１７】
図４は、本発明によるワイヤレス通信システムの動作を示すフロー図４００である。フローは、パックが携帯加入者ユニット１２２内にプログラミングされる（４０２）と開始する。好ましくは、パックは、少なくとも一つのページ上で表示するためにテンプレート・データをフォーマットするためのテンプレートのバンドルからなる。テンプレートとは、ユーザへの情報の提示をレイアウトするために処理システム２０６およびユーザ・インタフェース２１４によって用いられるパターンのことである。テンプレートは、ワールド・ワイド・ウェブ・ページを作成する際に用いられるＨＴＭＬ(Hypertext Mark-up Language)と同様な、テンプレート・マークアップ言語を利用して作成される。例えば、テンプレートは、対応するテンプレート・データをどこに、またどのサイズおよびカラーで表示すべきかを定めることができる。パックのテンプレートは、デッキおよびテンプレート・データの意図する用途に応じて、形式および機能について関連しても、関連していなくてもよい。本明細書で用いられる「ページ」とは、表示情報のスクリーンをいう。本明細書で用いられる「パック」と「テンプレート・データ」との間の区別は、パックはテンプレート・データを表示するためのテンプレートのバンドルを表し、一方、テンプレート・データは、テンプレートに記入するために処理システム２０６およびユーザ・インタフェース２１４によって利用される。なお、パックは、例えば、テンプレート・データの量が少ない場合には、一つのテンプレートのみでもよいことが理解される。さらに、ユーザは複数のパックを複数の場所、例えば、サーバ１２４，パーソナル・コンピュータ（図示せず），コントローラ１１２または携帯加入者ユニット１２２（ＲＯＭ２０５またはパック・キャッシュ２２６のいずれか）に格納できることが理解される。
【００１８】
適切なパックが携帯加入者ユニット１２２内にプログラミングされると、サーバ１２４はワイヤレス通信システムを介して目的の携帯加入者ユニット１２２にテンプレート・データを送信する（４０４）。携帯加入者ユニット１２２は、テンプレート・データを受信し（４０６）、パックのテンプレートに従ってテンプレート・データを表示する（４０８）。パックはテンプレート・データから区別されるので、パックは将来再利用のために携帯加入者ユニット１２２内に保持できる。パックを携帯加入者ユニット１２２内に保持することは、例えば、株式レポートなどの情報サービス・データなど、固定フォーマットで反復的に更新・表示されるテンプレート・データの待ち時間(latency)を有利に短縮する。パックが携帯加入者ユニット１２２に格納されるとき、パックは好ましくはパック・キャッシュ２２６内にキャッシュされる。あるいは、パック２０９など頻繁に利用されるパックは、長期的な利用のために、製造時、あるいは携帯加入者ユニット１２２の起動時に、ＲＯＭ２０５内にプログラミングできることが理解される。
【００１９】
図５は、本発明によるワイヤレス通信システムの第１プログラミング動作を示すフロー図５００である。図５００は、サーバ１２４が汎用パックを携帯加入者ユニット１２２に送信する（５０２）ことから開始する。好ましくは、汎用パックは、一単位としてワイヤレス通信システムを介して送信される。携帯加入者ユニット１２２のユーザは、携帯加入者ユニット１２２のユーザ・インタフェース２１４を介して汎用パックを修正し（５０４）、それによりカスタム・パックを生成できる。次に、ユーザは、カスタム・パックを格納するためにカスタム・パックをサーバ１２４に返送する（５０６）。好ましくは、ユーザとサーバ１２４との間のトランザクションは、ワイヤレス通信システムを介して行われる。あるいは、ユーザとサーバ１２４との間のトランザクションは、携帯加入者ユニット１２２が従来の有線ネットワーク・インタフェース(wireline network interface)（図示せず）を具備している場合には、有線ネットワークを介して行うこともできることが理解される。次に、サーバは、サーバ１２４が対応するテンプレート・データを携帯加入者ユニット１２２に送信する毎に、好ましくは一単位送信として、カスタム・パックを携帯加入者ユニット１２２にダウンロードする（５０８）。この動作形式は、携帯加入者ユニット１２２におけるメモリを有利に節約するが、余分な待ち時間およびエア・リンク資源の犠牲が生じる。あるいは、携帯加入者ユニット１２２に十分なメモリがある場合には、待ち時間を改善するためにカスタム・パックを携帯加入者ユニット１２２に格納できることが理解される。
【００２０】
図６は、本発明によるワイヤレス通信システムの第２プログラミング動作を示すフロー図６００である。図６００は、ユーザが入力／出力装置からサーバ１２４にアクセスする（６０２）と開始する。入力／出力装置は、例えば、パーソナル・コンピュータ，キーボード／ディスプレイ端末，手書認識装置付きディスプレイ，音声認識装置または携帯加入者ユニット１２２でもよい。次に、ユーザは新規パックを作成（６０４）するか、あるいは入力／出力装置を介して汎用パックを修正し、それによりカスタム・パックを生成する。次に、サーバ１２４は、携帯加入者ユニット１２２に代わってカスタム・パックを格納する（６０６）。次に、サーバは、サーバが対応するテンプレート・データを携帯加入者ユニット１２２に送信する毎に、カスタム・パックを携帯加入者ユニット１２２に好ましくはダウンロードする。好ましくは、パックは、一単位としてワイヤレス通信システムを介してダウンロードされる。あるいは、サーバ１２４は、ユーザがカスタム・パックを作成した直後にカスタム・パックを携帯加入者ユニット１２２にダウンロードでき、また携帯加入者ユニット１２２は、メモリに十分な空きがある場合には、カスタム・パックをメモリ２１２に格納できることが理解される。
【００２１】
図７は、本発明によるワイヤレス通信システムの第３プログラミング動作を示すフロー図７００である。図７００は、リフレッシャ・パック(refresher pack)を加入者ユニット１２２に送信する時間かどうかをサーバが確認する（７０２）ことで開始する。送信する時間でない場合、サーバは確認を続ける。リフレッシャ・パックを送信する時間である場合、サーバ１２４はワイヤレス通信システムを介してリフレッシャ・パックを携帯加入者ユニット１２２に送信する（７０４）。これに応答して、携帯加入者ユニット１２２は、メモリ２１２内の前回保存されたパックをリフレッシュする（７０６）。この手法は、頻繁に変更するパックを更新し、また携帯加入者ユニット１２２がパワーダウンしたときに失われたパックを置換するのに有利である。
【００２２】
図８は、本発明によるワイヤレス通信システムの第４プログラミング動作を示すフロー図８００である。図８００は、ユーザがパックを選択するためにサーバ１２４にアクセス（８０２）すると開始する。次に、ユーザはサーバ１２４の大容量記憶媒体３１４に格納された複数のパックからパックを選択する（８０４）。次に、サーバ１２４はこのパックを携帯加入者ユニット１２２にダウンロードする。あるいは、サーバ１２４は、携帯加入者ユニットに代わってパックを格納して、サーバ１２４がこのパックに対応するテンプレート・データを携帯加入者ユニット１２２に送信する毎に、このパックを携帯加入者ユニット１２２にダウンロードできることが理解される。この代替手法を利用する場合、パックは一単位としてワイヤレス通信システムを介して好ましくはダウンロードされる。
【００２３】
以上、本発明はワイヤレス通信システムにおいて携帯加入者ユニットによるテンプレート・データの表示を制御するための方法および装置を提供することが上記の開示から明らかであろう。特に、本方法および装置は、テンプレートをテンプレート・データから区別することによりデータ・ダウンロードのサイズを有利に低減し、またテンプレート・データの表示をエンドユーザの希望に応じてカスタマイズできる。
【００２４】
本発明の多くの修正および変形は、上記の教示に鑑み可能である。従って、特許請求の範囲内で、本発明は本明細書で説明される以外で実施できることが理解されよう。
【図面の簡単な説明】
【図１】  本発明によるワイヤレス通信システムの電気ブロック図である。
【図２】  本発明による携帯加入者ユニットの電気ブロック図である。
【図３】  本発明によるサーバの電気ブロック図である。
【図４】  本発明によるワイヤレス通信システムの動作を示すフロー図である。
【図５】  本発明によるワイヤレス通信システムの第１プログラミング動作を示すフロー図である。
【図６】  本発明によるワイヤレス通信システムの第２プログラミング動作を示すフロー図である。
【図７】  本発明によるワイヤレス通信システムの第３プログラミング動作を示すフロー図である。
【図８】  本発明によるワイヤレス通信システムの第４プログラミング動作を示すフロー図である。
【図１】
0004452405.tif 000002
【図２】
0004452405.tif 000003
【図３】
0004452405.tif 000004
【図４】
0004452405.tif 000005
【図５】
0004452405.tif 000006
【図６】
0004452405.tif 000007
【図７】
0004452405.tif 000008
【図８】
0004452405.tif 000009